(57)【要約】      （修正有）【課題】耐振動性能や耐衝撃性能に優れた磁性体材料固定具を提供する。【解決手段】環状の磁性体材料Ｍの外形に対応した形状の固定部１１０を有する台座１００と、台座１００の固定部１１０に載置された状態の磁性体材料Ｍを台座１００に固定するベルト部２００と、ベルト部２００の両端を連結するためにベルト部２００の両端部に設けられた連結部３００とを備える。台座１００には固定部１１０に隣接してベルト部２００の幅より大きな幅を有する一対の貫通孔部１１１が開設され、ベルト部２００は固定部１１０の磁性体材料Ｍが当接する面とは反対側の面から一対の貫通孔部１１１を貫通して配置され、磁性体材料Ｍが固定部１１０に当接され、かつ、ベルト部２００の内面に当接した状態で連結部３００によりベルト部２００の両端が連結されることで磁性体材料Ｍを固定保持する。【選択図】図２
2020188087.tif 000002
【特許請求の範囲】
【請求項１】
環状の磁性体材料の外形に対応した形状の固定部を有する台座と、
前記台座の前記固定部に載置された状態の前記磁性体材料を前記台座に固定するベルト部と、
前記ベルト部の両端を連結するために前記ベルト部の両端部に設けられた連結部とを具備し、
前記台座には、前記固定部に隣接して前記ベルト部の幅より大きな幅を有する一対の貫通孔部が開設されており、
前記ベルト部は、前記固定部の前記磁性体材料が当接する面とは反対側の面から前記一対の貫通孔部を貫通して配置されており、
前記磁性体材料が前記固定部に当接され、かつ、前記ベルト部の内面に当接した状態で前記連結部により前記ベルト部の両端が連結されることで前記磁性体材料を固定保持することを特徴とする磁性体材料固定具。
【請求項２】
前記固定部は、前記磁性体材料の外周部の曲率半径に合わせた凹形状からなることを特徴とする請求項１記載の磁性体材料固定具。
【請求項３】
前記一対の貫通孔部は、固定部に載置された磁性体材料が固定部と接触している部分と接触していない部分との境目に開設されていることを特徴とする請求項１又は２記載の磁性体材料固定具。
【請求項４】
前記連結部は、ベルト部の一端に設けられた一端側連結部と、ベルト部の他端に設けられた他端側連結部と、一端側連結部に形成された雌ねじに対応した雄ねじと、この雄ねじの脚部が貫通した押え板とを有しており、雌ねじに螺合した雄ねじによって押え板が他端側連結部を一端側連結部に向かって押さえ込むことで、ベルト部の一端と他端とを連結することを特徴とする請求項１、２又は３記載の磁性体材料固定具。
【請求項５】
複数個の環状の磁性体材料をその開口部を一致させて並べて配置固定する連結タイプ磁性体材料固定具であって、
複数個の磁性体材料を載置可能な固定部を有する台座と、
前記台座の前記固定部に載置された複数個の前記磁性体材料を前記台座にそれぞれ固定するベルト部と、
それぞれの前記ベルト部の両端を連結するために前記ベルト部の両端部に設けられた連結部とを具備し、
前記台座には、前記固定部に隣接して前記ベルト部の幅より大きな幅を有する一対の貫通孔部がそれぞれ開設されており、
前記ベルト部は、前記固定部の前記磁性体材料が当接する面とは反対側の面から前記一対の貫通孔部を貫通して配置されており、
前記磁性体材料が前記固定部に当接され、かつ、前記ベルト部の内周に当接した状態で前記連結部により前記ベルト部の両端が連結されることで複数個の前記磁性体材料を固定保持することを特徴とする連結タイプ磁性体材料固定具。
【発明の詳細な説明】
【技術分野】
【０００１】
本発明は、フェライト、アモルファス、ナノクリスタル、ダスト等からなる環状の磁性体材料を固定保持する磁性体材料固定具と、複数個の環状の磁性体材料を固定保持する連結タイプ磁性体材料固定具に関する。
【背景技術】
【０００２】
フェライトコア等の環状の磁性体材料を固定保持するものとしては、特開２０１３−０６９６５８号公報に示されるように、環状のフェライトコアを金具の水平部分に載置し、水平部分に開設された貫通口に結束バンドを貫通させ、フェライトコアの下端部（水平部分に接触した部分）において前記結束バンドをフェライトコアの開口部を通して固定保持するようにしたものがある（特開２０１３−０６９６５８号公報の段落番号００５０、００５１、図４参照）。
【０００３】
【特許文献１】特開２０１３−０６９６５８号公報
【発明の開示】
【発明が解決しようとする課題】
【０００４】
しかしながら、このような固定手法では、フェライトコアの下端部のみを固定しているため、耐振動性能や耐衝撃性能に劣っている。
また、結束バンドでの固定では、作業員による締め付け強さの個人差があるため、均一な固定が難しいという問題もある。
これは、フェライトコアが単数でも複数であっても同様である。
【０００５】
また、図１０に示すような磁性体材料固定具もある。この磁性体材料固定具は固定台９００と幅広のベルト部９１０とを用いてフェライトコアを固定するものである。
しかしながら、この磁性体材料固定具は耐振動性能や耐衝撃性能には優れているが、台座９００の縁部を内側に折り曲げて形成した折り曲げ部９０１によってベルト部９１０を台座９００に取り付け固定する構造である。従って、台座９００の幅はベルト部９１０の幅より大きくすることが要求される。
このような場合、フェライトコアを台座９００に配置し、ベルト部９１０で固定した磁性体材料を取り付けた磁性体材料固定具を、フェライトの開口部を一致させた状態で複数個配列するとすれば、台座９００の幅に規制され、磁性体材料固定具同士を密接して配置することができないという問題がある。
また、フェライトコアが当接する台座９００の領域は平面であるので、フェライトコアはこの面では点接触することになり、大きな締め付け力や振動が生じると破損するおそれがあった。
【０００６】
本発明は、上記事情に鑑みて創案されたもので、熟練者だけでなくだれでも確実な固定ができ、耐振動性能や耐衝撃性能を有する磁性体材料固定具を提供することを目的としている。
また、複数個の磁性体材料をその開口部を一致させて並べて配置し固定する場合に、磁性体材料同士の距離を小さくして全体として小型の連結タイプ磁性体材料固定具を提供することを目的としている。
【課題を解決するための手段】
【０００７】
本発明に係る磁性体材料固定具は、環状の磁性体材料の外形に対応した形状の固定部を有する台座と、
前記台座の前記固定部に載置された状態の前記磁性体材料を前記台座に固定するベルト部と、
前記ベルト部の両端を連結するために前記ベルト部の両端部に設けられた連結部とを具備し、
前記台座には、前記固定部に隣接して前記ベルト部の幅より大きな幅を有する一対の貫通孔部が開設されており、
前記ベルト部は、前記固定部の前記磁性体材料が当接する面とは反対側の面から前記一対の貫通孔部を貫通して配置されており、
前記磁性体材料が前記固定部に当接され、かつ、前記ベルト部の内面に当接した状態で前記連結部により前記ベルト部の両端が連結されることで前記磁性体材料を固定保持するようになっている。
【０００８】
前記固定部は、前記磁性体材料の外周部の曲率半径に合わせた凹形状に形成されている。
【０００９】
また、前記一対の貫通孔部は、固定部に載置された磁性体材料が固定部と接触している部分と接触していない部分との境目に開設されている。
【００１０】
さらに、前記連結部は、ベルト部の一端に設けられた一端側連結部と、ベルト部の他端に設けられた他端側連結部と、一端側連結部に形成された雌ねじに対応した雄ねじと、この雄ねじの脚部が貫通した押え板とを有しており、雌ねじに螺合した雄ねじによって押え板が他端側連結部を一端側連結部に向かって押さえ込むことで、ベルト部の一端と他端とを連結するようになっている。
【発明の効果】
【００１１】
本発明に係る磁性体材料固定具は、磁性体材料をベルト部によって台座の固定部に固定するものであるため、磁性体材料を確実に台座に固定することができる。すなわち、従来のものより耐振動性能や耐衝撃性能に優れたものとすることができる。
【００１２】
しかも、連結部が雄ねじによってベルト部の両端を連結するものであるため、雄ねじのをねじ込む際のトルク値を一定にすることで磁性体材料を一定の強さで台座に固定することができる。すなわち、磁性体材料の台座への取り付け強さが作業員によって変動するというおそれが少なくなる。
【００１３】
また、複数個の磁性体材料を固定する連結タイプ磁性体材料固定具であれば、個々の台座を複数個並べるタイプの磁性体材料固定具より隣接する磁性体材料同士の距離をより小さくすることができる。すなわち、磁性体材料を複数個取り付ける必要がある場合にその設置面積を小さくできるという効果を奏する。
【図面の簡単な説明】
【００１４】
【図１】本発明の実施の形態に係る磁性体材料固定具の図面であって、同図（Ａ）は概略的正面図、同図（Ｂ）は概略的平面図である。
【図２】本発明の実施の形態に係る磁性体材料固定具で磁性体材料を固定した状態の図面であって、同図（Ａ）は概略的正面図、同図（Ｂ）は概略的平面図である。
【図３】本発明の実施の形態に係る磁性体材料固定具を構成する台座の概略的斜視図である。
【図４】本発明の実施の形態に係る磁性体材料固定具を構成する台座の図面であって、同図（Ａ）は概略的正面図、同図（Ｂ）は概略的平面図である。
【図５】本発明の実施の形態に係る磁性体材料固定具を構成する連結部の概略的斜視図である。
【図６】本発明の実施の形態に係る磁性体材料固定具によって固定される磁性体材料の図面であって、同図（Ａ）は概略的正面図、同図（Ｂ）は概略的平面図である。
【図７】本発明の他の実施の形態に係る磁性体材料固定具で磁性体材料を固定した状態の図面であって、同図（Ａ）は概略的正面図、同図（Ｂ）は概略的平面図である。
【図８】本発明の他の実施の形態に係る磁性体材料固定具を構成する台座の概略的斜視図である。
【図９】本発明のさらに他の実施の形態に係る磁性体材料固定具を構成する台座の概略的正面図である。
【図１０】従来のこの種の磁性体材料固定具の概略的斜視図である。
【発明を実施するための形態】
【００１５】
本発明の実施の形態に係る磁性体材料固定具１０００について、図１から図６を用いて詳細に説明する。
本発明の実施の形態に係る磁性体材料固定具１０００は、環状の磁性体材料Ｍの外形に対応した形状の固定部１１０を有する台座１００と、
前記台座１００の前記固定部１１０に載置された状態の前記磁性体材料Ｍを前記台座１００に固定するベルト部２００と、
前記ベルト部２００の両端を連結するために前記ベルト部２００の両端部に設けられた連結部３００とを備えており、
前記台座１００には、前記固定部１１０に隣接して前記ベルト部２００の幅より大きな幅を有する一対の貫通孔部１１１が開設されており、
前記ベルト部２００は、前記固定部１１０の前記磁性体材料Ｍが当接する面とは反対側の面から前記一対の貫通孔部１１１を貫通して配置されており、
前記磁性体材料Ｍが前記固定部１１０に当接され、かつ、前記ベルト部２００の内面に当接した状態で前記連結部３００により前記ベルト部２００の両端が連結されることで前記磁性体材料Ｍを固定保持するようになっている。
【００１６】
まず、本発明の実施の形態に係る磁性体材料固定具１０００の説明の前に、この磁性体材料固定具１０００によって固定される磁性体材料Ｍについて説明する。
この磁性体材料Ｍは、フェライトコアに代表されるものであって、図６に示すように円形に形成されている。
まず、以下では円形の磁性体材料Ｍとして説明を行う。
この円形の磁性体材料Ｍは中央に貫通部である開口部ＭＡを有している。この磁性体材料Ｍの厚さ寸法をＷ５、外側半径をＲ１、内側半径をＲ２とする。従って、この磁性体材料Ｍの外形の長さ寸法は、２×Ｒ１×πになる。
なお、この種の磁性体材料Ｍは、図６に示すような円形のものの他に、角部が円弧状に形成された略長方形状や略正方形状のものもある。
また、この種の磁性体材料Ｍの素材は、フェライトの他に、アモルファス、ナノクリスタル、ダスト等がある。
【００１７】
前記台座１００は、例えば厚さ寸法が１〜３ｍｍ程度の金属板を折曲形成したものであって、磁性体材料Ｍの外形に対応した円弧状の固定部１１０と、この固定部１１０の両端に延設される一対の脚部１２０とが一体に形成されたものである。
かかる台座１００は、図３や図４に示すように、略Ｍ字形状に形成されている。中央の凹状に形成された部分が固定部１１０であり、この固定部１１０の両端から延設される部分が脚部１２０である。
この台座１００の幅寸法Ｗ１は、固定保持すべき磁性体材料Ｍの厚さ寸法Ｗ２より若干大きく設定されている（図２（Ｂ）参照）。
【００１８】
前記固定部１１０は、凹状に形成されているため、載置された固定保持すべき磁性体材料Ｍが密着するようになっている。
しかもこの固定部１１０には、固定部１１０に載置された磁性体材料Ｍが固定部１１０と接触している部分Ｐ１と接触していない部分Ｐ２との境目に一対の貫通孔部１１１が開設されている。
この貫通孔部１１１は、幅寸法Ｗ３が後述するベルト部２００の幅寸法Ｗ４より若干大きく設定されており、ベルト部２００がスムーズに抜き差し可能であり、かつ幅方向にはずれないようになっている。
【００１９】
固定部１１０の両端から延設される一対の脚部１２０は、台座１００をシャーシＣに固定するためのものである。
この脚部１２０は、シャーシＣに接触する接触部１２１と、この接触部１２１の縁部から立ち上がって固定部１１０の端部に連なる立上部１２２とで全体として略Ｌ字形状に形成されている。
一方の接触部１２１には丸孔１２１Ａが、他方の接触部１２１には長孔１２１Ｂがそれぞれ開設されている。これらの丸孔１２１Ａ及び長孔１２１Ｂは、台座１００をシャーシＣに固定するためのものであり、一方を長孔１２１Ｂとしたのは台座１００の取付位置を微調整可能とするためである。
前記立上部１２２は、固定部１１０の最底部ＢがシャーシＣに接触しないようにするためのものである。
【００２０】
一方、前記ベルト部２００は、磁性体材料Ｍの外形にしなやかに沿うことができるような金属製又は合成樹脂製の幅広の帯状部材であって、その両端には後述する連結部３００が設けられている。
かかるベルト部２００の幅寸法Ｗ４は、上述したように、ベルト部２００が貫通孔部１１１の幅寸法Ｗ３より若干小さく設定されており、ベルト部２００が貫通孔部１１１に対してスムーズに抜き差し可能であり、かつ幅方向にはずれないようになっている。
また、金属製のベルト部２００の長さ寸法は、固定保持すべき磁性体材料Ｍの外形長さ寸法２×Ｒ１×πより若干短く設定されている。
【００２１】
前記連結部３００は、ベルト部２００の一端に取り付けられた一端側連結部３１０と、ベルト部２００の他端に取り付けられた他端側連結部３２０と、一端側連結部３１０に形成された雌ねじ部３１１に対応する雄ねじ３３０と、この雄ねじ３３０の脚部３３１が嵌まり込む貫通孔３４１を有する押え板３４０とを有している。
【００２２】
前記一端側連結部３１０は、ベルト部２００の一端に接触する接触面３１２と、この接触面３１２からほぼ直交して延出される延出面３１３とが一体に形成された側面視略Ｌ字形状の部材である。
この一端側連結部３１０は、前記延出面３１３がベルト部２００の一端に溶接されることでベルト部２００に取り付けられている。また、この一端側連結部３１０の延出面３１３は、ベルト部２００の外側に向かって突出するようになっている。
かかる一端側連結部３１０の延出面３１３の略中央部分には、雌ねじ部３１１が開設されている。
【００２３】
一方、前記他端側連結部３２０は、ベルト部２００の他端に接触する接触面３２２と、この接触面３２２からほぼ直交して延出される延出面３２３と、この延出面３２３の両側面側から立上形成された壁部３２４と、延出面３２３の外側縁部から立上形成された２つの爪部３２５とを有している。延出面３２３の略中央部分には、雄ねじ３３０の脚部が入り込む切欠き部（図示省略）が形成されている。
【００２４】
また、前記押え板３４０は、前記他端側連結部３２０の壁部３２４と爪部３２５とで囲まれた延出面３２３上に入り込むように形成された板材である。かかる押え板３４０の略中央部分には、雄ねじ３３０の脚部３３１が貫通する貫通孔３４１が開設されている。
【００２５】
前記雄ねじ３３０は、脚部３３１が雌ねじ部３１１に螺合するものであって、頭部３３２は押え板３４０を押さえ込むようになっている。
【００２６】
前記一端側連結部３１０と他端側連結部３２０とは、ベルト部２００を台座１００の一対の貫通孔部１１１に貫通させ、その一部が磁性体材料Ｍが当接する面とは反対側の面に位置し、かつ一端と他端とが固定部１１０より上方に位置した状態でベルト部２００の一端と他端とにそれぞれ溶接で取り付けられる。
【００２７】
次に、上述したような部品から構成された磁性体材料固定具１０００を用いて円形の磁性体材料Ｍを固定保持する手順について説明する。
台座１００の固定部１１０の上に磁性体材料Ｍを載置する。すると、磁性体材料Ｍはベルト部２００によって囲まれたような状態になる。
押え板３４０を他端側連結部３２０の延出面３２３の上に載置し、雄ねじ３３０の脚部３１１を押え板３４０の貫通孔３４１に貫通させる。すると、雄ねじ３３０の脚部３３１は、前記延出面３２３の切欠き部を通過する。
【００２８】
ベルト部２００は、雄ねじ３３０をさらにねじ込むことによって磁性体材料Ｍを強固に締めつけて固定部１１０に固定保持するようになる。
すなわち、ベルト部２００を磁性体材料Ｍに密着させて、雄ねじ３３０を一端側連結部３１０の延出面３１３の雌ねじ３１１に螺合させると、ベルト部２００の両端が連結される。雄ねじ３３０の頭部３３２によって押え板３４０が他端側連結部３２０の延出面３２３により密着し、前記延出面３２３が一端側連結部３１０の延出面３１３により近づくので、磁性体材料Ｍが強固に台座１００の固定部１１０に対して固定保持される。
【００２９】
ここで、雄ねじ３３０のねじ込み量を調整することで磁性体材料Ｍを一定の強さで台座１００に固定保持することができるようになる。具体的には、雄ねじ３３０をねじ込む際のトルク値を一定にすることで磁性体材料Ｍを一定の強さで台座１００に固定保持することができるようになる。
【００３０】
固定部１１０の貫通孔部１１１は、固定部１１０に載置された磁性体材料Ｍが固定部１１０と接触している部分Ｐ１と接触していない部分Ｐ２との境目に開設されている。このため、台座１００に取り付けられたベルト部２００のうち、固定部１１０の裏面側に位置していない部分は確実に磁性体材料Ｍの外周に接触するようになっているので、台座１００に固定保持された磁性体材料Ｍは、振動や衝撃が加わっても固定部１１０からずれるおそれは格段に少なくなっている。
【００３１】
なお、上述した実施の形態に係る磁性体材料固定具１０００では、貫通孔部１１１の幅寸法Ｗ３は、ベルト部２００の幅寸法Ｗ４より若干大きいとしたが、ベルト部２００の幅寸法Ｗ４は磁性体材料Ｍの厚さ寸法Ｗ２の１００〜５０％の範囲で適宜に設定することが可能である。
【００３２】
また、上述した実施の形態に係る磁性体材料固定具１０００では、連結部３００が一端側連結部３１０と、他端側連結部３２０と、雄ねじ３３０と、押え板３４０とから構成されているとしたが、本発明に係る磁性体材料固定具はこれに限定されるものでなはない。例えば、合成樹脂製のいわゆる結束バンドと称される部材やバックルを有する布製のベルト等の多種のベルト部を使用することも可能である。
【００３３】
上述した実施の形態に係る磁性体材料固定具１０００では、１個の磁性体材料Ｍを固定保持することができるだけであったが、本発明に係る他の磁性体材料固定具２０００では２個の磁性体材料Ｍを同時に固定保持することができる。
図７及び図８に示すように、かかる磁性体材料固定具２０００は、複数個の環状の磁性体材料をその開口部を一致させて並べて配置固定する連結タイプ磁性体材料固定具であって、２個の前記磁性体材料Ｍの外形に対応した形状の固定部５１０を有する台座５００と、前記台座５００の前記固定部５１０に載置された状態の前記磁性体材料Ｍを前記台座５００にそれぞれ固定する２個のベルト部と、それぞれの前記ベルト部２００の両端を連結するために前記ベルト部２００の両端部に設けられた連結部３００とを備えており、前記台座３００には、前記固定部５１０に隣接して前記ベルト部２００の幅より大きな幅を有する一対の貫通孔部５１１がそれぞれ開設されており、前記ベルト部２００は、前記固定部５１０の前記磁性体材料Ｍが当接する面とは反対側の面から前記一対の貫通孔部５１１を貫通して配置されており、前記磁性体材料Ｍが前記固定部５１０に当接され、かつ、前記ベルト部２００の内周に当接した状態で前記連結部３００により前記ベルト部２００の両端が連結されることで２個の前記磁性体材料Ｍを固定保持するようになっている。
【００３４】
この磁性体材料固定具２０００を構成する２つのベルト部２００及び２つの連結部３００は、上述した磁性体材料固定具１０００を構成するものと同一であるので、その詳細な説明は省略する。
【００３５】
前記台座５００は、上述した台座１００と同様に、例えば厚さ寸法が１〜３ｍｍ程度の金属板を折曲形成したものであって、磁性体材料Ｍの外形に対応した円弧状の固定部５１０と、この固定部５１０の両端に延設される一対の脚部５２０とが一体に形成されたものである。
【００３６】
前記固定部５１０には、固定部５１０に載置された２個の磁性体材料Ｍが固定部５１０と接触している部分Ｐ１と接触していない部分Ｐ２との境目に一対２組の貫通孔部５１１が開設されている。
この貫通孔部５１１は、幅寸法がベルト部２００の幅寸法より若干大きく設定されており、ベルト部２００がスムーズに抜き差し可能であり、かつ幅方向にはずれないようになっている。
【００３７】
固定部５１０の両端から延設される一対の脚部５２０は、台座５００をシャーシＣに固定するためのものである。
この脚部５２０は、シャーシＣに接触する接触部５２１と、この接触部５２１の縁部から立ち上がって固定部５１０の端部に連なる立上部５２２とで全体として略Ｌ字形状に形成されている。
一方の接触部５２１には２つの丸孔５２１Ａが、他方の接触部５２１には長孔５２１Ｂがそれぞれ開設されている。これらの丸孔５２１Ａ及び長孔５２１Ｂは、台座５００をシャーシＣに固定するためのものであり、一方を長孔５２１Ｂとしたのは台座５００の取付位置を微調整可能とするためである。なお、本実施の形態では丸孔５２１Ａと長孔５２１Ｂとをそれぞれ２個設けたが、１個ずつでも構わない。
前記立上部５２２は、固定部５１０の最底部ＢがシャーシＣに接触しないようにするためのものである。
【００３８】
かかる磁性体材料固定具２０００は、２個の磁性体材料Ｍを密接して固定保持できるので、従来の固定具に比べて設置面積を減少できる効果を奏する。また、従来、複数の磁性体材料Ｍをノイズ防止対策のために設置する場合には、１個の磁性体材料Ｍが固定されている磁性体材料固定具をそれぞれ設置する必要があり、作業性が悪かった。しかし、本実施の形態の磁性体材料固定具２０００では、２個の磁性体材料Ｍが取り付けられているので設置作業を効率化できる。
なお、本実施の形態の磁性体材料固定具２０００では、２個の磁性体材料Ｍを固定保持する構造について説明したが、本発明は２個の磁性体材料Ｍを固定する構造に限定されない。たとえば、台座として３個以上の磁性体材料Ｍを固定可能な大きさとし、その磁性体材料Ｍの数に合わせて貫通孔を設けた構造としてもよい。このような構造とすれば、３個以上の磁性体材料Ｍを設置する場合に設置作業をさらに効率化することができる。
【００３９】
上述した２つの磁性体材料固定具１０００、２０００では、円形の磁性体材料Ｍを固定保持したが、角部が円弧状に形成された略長方形状や略正方形状の磁性体材料ＭＳも同様にして固定保持することができる。
磁性体材料ＭＳを固定保持する磁性体材料固定具を構成する台座６００は、図９に示すように、例えば厚さ寸法が１〜３ｍｍ程度の金属板を折曲形成したものであって、磁性体材料ＭＳの外形に対応した形状の固定部６１０と、この固定部６１０の両端に延設される一対の脚部６２０とが一体に形成されたものである。
かかる台座６００は、中央の凹状に形成された部分が固定部６１０であり、この固定部６１０の両端から延設される部分が脚部６２０である。
この台座６００の幅寸法は、固定保持すべき磁性体材料ＭＳの厚さ寸法より若干大きく設定されている。
【００４０】
この台座６００を使用する磁性体材料固定具は、固定部６１０のほとんどの部分が平坦で、脚部６２０と繋がる部分のみが、磁性体材料ＭＳの円弧状の角部に対応して円弧状に形成されている。
この固定部６１０には、ベルト部２００が貫通する一対の貫通孔部（図示省略）が開設されているのは上述した２つの磁性体材料固定具１０００、２０００と同様である。
【００４１】
また、この磁性体材料固定具を構成する他の部材、すなわちベルト部２００、連結部３００も上述した２つの磁性体材料固定具１０００、２０００と同様であるので、その詳細な説明は省略する。
【００４２】
なお、上述した実施の形態に係る磁性体材料固定具１０００以外の磁性体材料固定具２０００や台座６００を使用する磁性体材料固定具でも、貫通孔部２１１、５１１の幅寸法は、ベルト部２００の幅寸法より若干大きいとしたが、ベルト部２００の幅寸法は磁性体材料Ｍ、ＭＳの厚さ寸法の１００〜５０％の範囲で適宜に設定することが可能である。
【００４３】
また、上述した実施の形態に係る磁性体材料固定具１０００以外の磁性体材料固定具２０００や台座６００を使用する磁性体材料固定具でも、一端側連結部３１０と、他端側連結部３２０と、雄ねじ３３０と、押え板３４０とから構成される連結部３００ではなく、合成樹脂製のいわゆる結束バンドと称される部材やバックルを有する布製のベルト等の多種のベルト部を使用することも可能である。
【００４４】
なお、上述した磁性体材料固定１０００、２０００は、ＥＭＣ対策、高調波対策、リアクトルなどのノイズ対策用に用いる場合に最適である。
【符号の説明】
【００４５】
１００    台座
１１０    固定部
１１１    貫通孔部
２００    ベルト部
３００    連結部
１０００  磁性体材料固定具
Ｍ        磁性体材料
【図１】
2020188087.tif 000003
【図２】
2020188087.tif 000004
【図３】
2020188087.tif 000005
【図４】
2020188087.tif 000006
【図５】
2020188087.tif 000007
【図６】
2020188087.tif 000008
【図７】
2020188087.tif 000009
【図８】
2020188087.tif 000010
【図９】
2020188087.tif 000011
【図１０】
2020188087.tif 000012
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
環状の磁性体材料の外形に対応した形状の固定部を有する台座と、
前記台座の前記固定部に載置された状態の前記磁性体材料を前記台座に固定するベルト部と、
前記ベルト部の両端を連結するために前記ベルト部の両端部に設けられた連結部とを具備し、
前記台座には、前記固定部に隣接して前記ベルト部の幅より大きな幅を有する一対の貫通孔部が開設されており、
前記ベルト部は、前記固定部の前記磁性体材料が当接する面とは反対側の面から前記一対の貫通孔部を貫通して配置されており、
前記連結部は、前記ベルト部の一端に設けられた一端側連結部と、前記ベルト部の他端に設けられた他端側連結部と、前記一端側連結部に形成された雌ねじに対応した雄ねじと、この雄ねじの脚部が貫通した押え板とを有しており、前記雌ねじに螺合した前記雄ねじによって前記押え板が前記他端側連結部を前記一端側連結部に向かって押さえ込むことで、前記ベルト部の一端と他端とを連結し、
前記磁性体材料が前記固定部に当接され、かつ、前記ベルト部の内面に当接した状態で前記連結部により前記ベルト部の両端が連結されることで前記磁性体材料を固定保持することを特徴とする磁性体材料固定具。
【請求項２】
前記固定部は、前記磁性体材料の外周部の曲率半径に合わせた凹形状からなることを特徴とする請求項１記載の磁性体材料固定具。
【請求項３】
前記一対の貫通孔部は、固定部に設置された磁性体材料が固定部と接触している部分と接触していない部分との境目に開設されていることを特徴とする請求項１又は２記載の磁性体材料固定具。
【請求項４】
複数個の環状の磁性体材料をその開口部を一致させて並べて配置固定する連結タイプ磁性体材料固定具であって、
複数個の磁性体材料を載置可能な固定部を有する台座と、
前記台座の前記固定部に載置された複数個の前記磁性体材料を前記台座にそれぞれ固定するベルト部と、
それぞれの前記ベルト部の両端を連結するために前記ベルト部の両端部に設けられた連結部とを具備し、
前記台座には、前記固定部に隣接して前記ベルト部の幅より大きな幅を有する一対の貫通孔部がそれぞれ開設されており、
前記ベルト部は、前記固定部の前記磁性体材料が当接する面とは反対側の面から前記一対の貫通孔部を貫通して配置されており、
前記連結部は、前記ベルト部の一端に設けられた一端側連結部と、前記ベルト部の他端に設けられた他端側連結部と、前記一端側連結部に形成された雌ねじに対応した雄ねじと、この雄ねじの脚部が貫通した押え板とを有しており、前記雌ねじに螺合した前記雄ねじによって前記押え板が前記他端側連結部を前記一端側連結部に向かって押さえ込むことで、前記ベルト部の一端と他端とを連結し、
前記磁性体材料が前記固定部に当接され、かつ、前記ベルト部の内周に当接した状態で前記連結部により前記ベルト部の両端が連結されることで複数個の前記磁性体材料を固定保持することを特徴とする連結タイプ磁性体材料固定具。
【手続補正２】
【補正対象書類名】明細書
【補正対象項目名】００１５
【補正方法】変更
【補正の内容】
【００１５】
本発明の実施の形態に係る磁性体材料固定具１０００について、図１から図６を用いて詳細に説明する。
本発明の実施の形態に係る磁性体材料固定具１０００は、環状の磁性体材料Ｍの外形に対応した形状の固定部１１０を有する台座１００と、
前記台座１００の前記固定部１１０に載置された状態の前記磁性体材料Ｍを前記台座１００に固定するベルト部２００と、
前記ベルト部２００の両端を連結するために前記ベルト部２００の両端部に設けられた連結部３００とを備えており、
前記台座１００には、前記固定部１１０に隣接して前記ベルト部２００の幅より大きな幅を有する一対の貫通孔部１１１が開設されており、
前記ベルト部２００は、前記固定部１１０の前記磁性体材料Ｍが当接する面とは反対側の面から前記一対の貫通孔部１１１を貫通して配置されており、
前記連結部３００は、前記ベルト部２００の一端に設けられた一端側連結部３１０と、前記ベルト部２００の他端に設けられた他端側連結部３２０と、前記一端側連結部３１０に形成された雌ねじ３１１に対応した雄ねじ３３０と、この雄ねじ３３０の脚部３３１が貫通した押え板３４０とを有しており、前記雌ねじ３１１に螺合した前記雄ねじ３３０によって前記押え板３４０が前記他端側連結部３２０を前記一端側連結部３１０に向かって押さえ込むことで、前記ベルト部２００の一端と他端とを連結し、
前記磁性体材料Ｍが前記固定部１１０に当接され、かつ、前記ベルト部２００の内面に当接した状態で前記連結部３００により前記ベルト部２００の両端が連結されることで前記磁性体材料Ｍを固定保持するようになっている。
【手続補正３】
【補正対象書類名】明細書
【補正対象項目名】００３２
【補正方法】変更
【補正の内容】
【００３２】
また、上述した実施の形態に係る磁性体材料固定具１０００では、連結部３００が一端側連結部３１０と、他端側連結部３２０と、雄ねじ３３０と、押え板３４０とから構成されているとしたが、合成樹脂製のいわゆる結束バンドと称される部材やバックルを有する布製のベルト等の多種のベルト部を使用することも可能である。